(57)【要約】【課題】  本発明は、アース用のリード線を廃止しても配線基板の破損を防止するアース構造を提供することを目的とする。【解決手段】  配線基板２０に、貫通孔２４と、プリントされたアース回路パターン２７と電気的に接続し少なくとも貫通孔２４の近傍まで延在させた導電体２３と、この導電体２３と電気的に当接させる固定部材２５とを設け、保持部材１０には、配線基板２０の背面から貫通孔２４を挿通し、その上端面１６が配線基板２０の上面よりも突出した突出部１４を設け、固定部材２５は突出部１４内に挿通し、その上部はこの突出部１４の上端面１６と当接又は導電体２３を介して当接させ、下部は本体２に嵌入させた。【選択図】  図１
2006093464.tif 000002
【特許請求の範囲】
【請求項１】
導電性の本体と、この本体に取付けられた非導電性の保持部材と、この保持部材により保持され電子部品が実装された配線基板とを備え、前記配線基板には、貫通孔と、プリントされたアース回路パターンと電気的に接続し少なくとも前記貫通孔の近傍まで延在させた導電体と、この導電体と電気的に接触させる固定部材とを設け、前記保持部材には前記配線基板の背面から前記貫通孔を挿通し、その上端面が配線基板の上面よりも突出した突出部を設けており、前記固定部材は前記突出部内に挿通し、その上部はこの突出部の上端面と当接又は前記導電体を介して当接させ、下部は前記本体に嵌入させていることを特徴とする配線基板のアース構造。
【請求項２】
配線基板及び保持部材を外板に取付けたことを特徴とする請求項１に記載の配線基板のアース構造を備えた冷蔵庫。
【発明の詳細な説明】
【技術分野】
【０００１】
本発明は、配線基板のアース構造に関する。
【背景技術】
【０００２】
冷蔵庫を制御する配線基板は、従来より導電性の鋼板からなる外箱の背面に取付けられており、この配線基板と電気的に接続されたリード線を外箱にネジ止めすることによりアースされているが、この場合アースするためにはリード線及びその取付工程が別途必要となる。
【０００３】
このため上記リード線を廃止したアース構造が考えられており、図８，図９はその一例を示している（例えば、特許文献１）。図８は従来のアース構造を示す分解図、図９はその縦断面図であり、導電性の筐体５０には、配線基板５４を保持固定するために上方に向けて立設させたフランジ部５１と、このフランジ部５１に穿設させた孔５２とを設けており、電子部品５５が実装された配線基板５４は裏面にアースパターン５６が施されており、取付穴５７及び貫通孔５８を穿設している。６０はアース板であり、円形状のフランジ部６１の左右端に下方に延在させた一対の端子片６２と、フランジ部６１の中心に貫通孔６４を形成している。この場合端子片６２は、図９に示すように取付穴５７に挿通されハンダ５９にて実装されている。
【０００４】
６５はビスであり、それぞれの貫通孔６４，５８を貫通し、ビスのネジ山は孔５２に嵌入されている。このため、配線基板５４は、筐体５０のフランジ部５１に取付け固定されているとともに、ビス６５の露部は、アース板６０の貫通孔６４の周縁部と導電関係に接続されている。
【０００５】
このため、ビス６５を嵌入させるだけで、アースパターン５６から順にアース板６０，ビス６５，孔５２と電気的に接続されることで配線基板５４のアース構造が構築されるとともに、配線基板５４の取付工程も同時に行えることができるようになっている。
【特許文献１】特開平８−５６０８６号公報
【発明の開示】
【発明が解決しようとする課題】
【０００６】
しかしながら、上記構成では、冷蔵庫などの電化製品においては、据付時や搬入時などに衝撃を受けることがあり、配線基板５４がビス６５などで筐体５０と強固に固定されていると、衝撃を受けて本体が変形した際に、この応力が柔軟性のない基板に作用し、破損する恐れがあった。
【０００７】
本発明はこの点に着目してなされたもので、アース用のリード線を廃止しても配線基板の破損を防止するアース構造を提供することを目的とする。
【課題を解決するための手段】
【０００８】
上記課題を解決するために、本発明によるアース構造は、導電性の本体と、この本体に取付けられた非導電性の保持部材と、この保持部材により保持され電子部品が実装された配線基板とを備え、前記配線基板には、貫通孔と、プリントされたアース回路パターンと電気的に接続し少なくとも前記貫通孔の近傍まで延在させた導電体と、この導電体と電気的に接触させる固定部材とを設け、前記保持部材には前記配線基板の背面から前記貫通孔を挿通し、その上端面が配線基板の上面よりも突出した突出部を設けており、前記固定部材は前記突出部内に挿通し、その上部はこの突出部の上端面と当接又は前記導電体を介して当接させ、下部は前記本体に嵌入させていることを特徴とする。
【発明の効果】
【０００９】
本発明によれば、配線基板は固定部材により固定されていないため基板の破損を防止することができるとともに、固定部材の取付けにより導電体を介してアース回路が構築できるため、アース用のリード線を廃止し組立作業性に優れたアース構造を提供することができる。
【発明を実施するための最良の形態】
【００１０】
以下、図面に基づき本発明の１実施形態について説明する。図７は、本発明に係る冷蔵庫の配線回路カバーを外した状態を示す背面図であり、図１は、図７のＡ−Ａ線に沿う断面図、図２は図１の固定部材の周縁を示す上から見た斜視図である。
【００１１】
冷蔵庫本体１は、図７，図１に示すように導電性の鋼板からなる外箱２と内箱４との間に断熱材３を発泡充填させて断熱箱体を構成しており、上記外箱２の背面は背面板２ａにより構成されている。背面板２ａの側方には、配線基板２０を配設するための凹部５を形成しており、この凹部５の底面には保持部材１０をネジなどにより取付けている。なお、この凹部５の上面開口部には、配線回路カバー６を着脱自在に取付けている。
【００１２】
保持部材１０は、非導電性、具体的には難燃性の合成樹脂により成形されており、配線基板２０の外周を覆うように外周壁１１を立設させている。この外周壁１１には、数箇所に配線基板２０の上面を下方に付勢する係合部１２を設けており、保持部材１０の底面から上方に向けて立設させたリブ１３と、この係合部１２により配線基板２０を取付挟着している。
【００１３】
また、保持部材１０の底面には、配線基板２０に向けて立設させた突出部１４を設けており、この突出部１４の上端面１６は、配線基板２０が取付けられた状態で配線基板２０の上面より突出した位置となるように配設されており、突出部１４の内部には貫通孔１５を設けている。
【００１４】
コンデンサやダイオードなどの電子部品２１を実装している配線基板２０は、上記したように係合部１２とリブ１３とにより保持部材１０に取付固定されている。配線基板２０の保持部材１０の突出部１４と対向する部分には、突出部１４を上方に突出させるための貫通孔２４を穿設しており、この貫通孔２４の周縁には、導電体２３を実装するための取付穴２２を、ここでは２箇所設けている。また、図２に示すように配線基板２０の裏面には、アース回路パターン２７がプリントされており、取付穴２２に挿通された導電体２３をハンダ付けすることによって電気的に接続させている。
【００１５】
導電体２３は、棒状又は板状の鉄線をほぼコ字状に成形したもので、下端部２３ａは取付穴２２に挿通されてハンダにより取付固定している。水平部２３ｂは突出部１４の上端面１６と当接しており、取付穴２２は貫通孔１５よりも外側に配設している。
【００１６】
２５は固定部材であり、ここでは導電性のビスを用いている。固定部材２５は、貫通孔１５に挿通されており、背面板２ａの凹部５にネジ込み固定している。固定部材２５の上部、ここではネジ頭部の下端面２５ａは、導電体２３の水平部２３ｂと接触しており、配線基板２０の上面とは接触しないようになっている。また、この固定部材２５は、保持部材１０を背面板２ａに押圧固定する役割も果している。
【００１７】
上記した構成によれば、配線基板２０のアース回路パターン２７と電気的に接続された導電体２３が導電体の固定部材２５を介して背面板２ａに導電状態に固着嵌入されているため、アース用のリード線を用いずとも、アース回路を構築形成することができるとともに、保持部材１０の取付け用の固定部材２５を流用することで、アース回路のために別途作業工程を必要としないことから、組立作業効率を向上させることができる。また、固定部材２５は、直接配線基板２０と接触していないため、据付時や搬入時などに本体側に衝撃を受けても、固定部材２５からの衝撃力は配線基板２０に直接伝達されず、衝撃が緩和されて配線基板２０の破損を防止することができる。
【００１８】
なお、上記した構成では、単一の導電体２３でアース回路を形成していたが、図３に示すように貫通孔１５を挟んで２本の導電体２３を用いることで、固定部材２５を取付けた際に傾くことなく、確実に背面板２ａと嵌入させることができる。
【００１９】
また、導電体２３の水平部２３ｂは突出部１４の上端面１６に配設していなくても、例えば固定部材２５の下端面２５ａと接触させるようにしてもよい。具体的には、図４に示すようにコ字状の導電体２３の代りにＬ字状の固定部材２３´としてもよい。この場合、導電体２３´を弾性体として一端を上方に付勢させることで固定部材２５との固着の際は、確実に電気的に接続させることができる。
【００２０】
さらに、導電体２３´は棒状でなく板状にして、図５,図６に示すように、固定部材２５
との接触面を、円状またはＵ字状とすることで、より確実に電気的に接続させることができる。
【００２１】
さらにまた、上述した構成では、冷蔵庫に取付けたアース構造として説明したが、冷蔵庫に限らず、導電製の本体からなる種々の電化製品に適応できることは言うまでもない。
【産業上の利用可能性】
【００２２】
本発明は、アース構造の簡素化と配線基板の破損を防止することができ、導電体の本体を有するアース構造に利用することができる。
【図面の簡単な説明】
【００２３】
【図１】本発明の１実施形態を示すアース構造の断面図である。
【図２】図１のアース構造の周縁を示す斜視図である。
【図３】図２の固定部材の他の実施形態を示す斜視図である。
【図４】固定部材の他の実施形態を示す縦断面図である。
【図５】図４の固定部材の他の実施形態を示す斜視図である。
【図６】図５の固定部材の他の実施形態を示す斜視図である。
【図７】本発明の１実施形態を示す冷蔵庫の背面図である。
【図８】従来のアース構造を示す分解斜視図である。
【図９】図８のアース構造の縦断面図である。
【符号の説明】
【００２４】
１…冷蔵庫本体            ２…外箱              ２ａ…背面板
５…凹部                １０…保持部材          １２…係合部
１３…リブ                １４…突出部            １５…貫通孔
１６…上端面              ２０…配線基板          ２１…電子部品
２２…取付穴              ２３…導電体            ２４…貫通孔
２５…固定部材            ２７…アース回路パターン
【図１】
2006093464.tif 000003
【図２】
2006093464.tif 000004
【図３】
2006093464.tif 000005
【図４】
2006093464.tif 000006
【図５】
2006093464.tif 000007
【図６】
2006093464.tif 000008
【図７】
2006093464.tif 000009
【図８】
2006093464.tif 000010
【図９】
2006093464.tif 000011